(57)【要約】【課題】冷却効果を高めることができる衣服等を提供することを目的とする。【解決手段】本発明の衣服１０は、着用者を覆う衣服本体２０と、衣服本体２０の内側の空間と連通する筒状の通気部４０と、を有し、通気部４０は、送風装置５０の送風部５１に着脱可能な通気口４３を有することを特徴とする。【選択図】図７
2018003227.tif 000002
【特許請求の範囲】
【請求項１】
着用者を覆う衣服本体と、
前記衣服本体の内側の空間と連通する筒状の通気部と、を有し、
前記通気部は、送風装置の送風部に着脱可能な通気口を有することを特徴とする衣服。
【請求項２】
複数の前記通気部を有することを特徴とする請求項１に記載の衣服。
【請求項３】
前記複数の通気部は、前記着用者を囲むように位置していることを特徴とする請求項２に記載の衣服。
【請求項４】
前記通気部は、前記衣服本体の内側に収容可能であることを特徴とする請求項１ないし３の何れか１項に記載の衣服。
【請求項５】
前記通気部は、前記衣服本体に形成された開口部に接続されていることを特徴とする請求項１ないし４の何れか１項に記載の衣服。
【請求項６】
前記開口部を前記衣服本体の外側から覆うフラシ部を有することを特徴とする請求項５に記載の衣服。
【請求項７】
衣服と、前記衣服の内部に空気を送風する送風装置と、を備えた冷却システムであって、
前記衣服は、
着用者を覆う衣服本体と、
前記衣服本体の内側の空間と連通する筒状の通気部と、を有し、
前記通気部は、前記送風装置の送風部に着脱可能な通気口を有することを特徴とする冷却システム。
【発明の詳細な説明】
【技術分野】
【０００１】
本発明は、衣服および冷却システムに関する。
【背景技術】
【０００２】
空気を衣服内に流入させて着用者の汗を気化させることで着用者を冷却させることができる送風装置が提案されている。
特許文献１には、ファンカバーとファンハウジングとにより構成され、ハウジング開口に排出ダクト部が装着された送風装置が開示されている。着用者はベルトに送風装置を保持させた状態で上着を着用することで、排出ダクト部を上着内に配置することができる。この状態で送風装置を駆動させることで、吸入された空気が排出ダクト部から排出され、着用者を冷却させることができる。
【先行技術文献】
【特許文献】
【０００３】
【特許文献１】特開２０１６−３３２６７号公報
【発明の概要】
【発明が解決しようとする課題】
【０００４】
このような送風装置では、上着に吸入された空気を衿や袖口等の僅かな隙間から流出させることで冷却効果を高めることができる。一方、衿や袖口等に大きな隙間が空いている場合には、上着に吸入された空気の多くが大きな隙間から漏れ出てしまい冷却効果が低下してしまう。
【０００５】
特許文献１に開示された上着および送風装置は、着用者が上着を着用したときに送風装置の排出ダクト部と上着とが重なり合った位置の周辺、具体的には排出ダクト部の両側に大きな隙間が生じてしまう。したがって、上着に吸入された空気の多くがその隙間から外部に漏れ出てしまうために冷却効果が低下してしまう。
本発明は、上述したような問題点に鑑みてなされたものであり、冷却効果を高めることができる衣服および冷却システムを提供することを目的とする。
【課題を解決するための手段】
【０００６】
本発明の衣服は、着用者を覆う衣服本体と、前記衣服本体の内側の空間と連通する筒状の通気部と、を有し、前記通気部は、送風装置の送風部に着脱可能な通気口を有することを特徴とする。
本発明の冷却システムは、衣服と、前記衣服の内部に空気を送風する送風装置と、を備えた冷却システムであって、前記衣服は、着用者を覆う衣服本体と、前記衣服本体の内側の空間と連通する筒状の通気部と、を有し、前記通気部は、前記送風装置の送風部に着脱可能な通気口を有することを特徴とする。
【発明の効果】
【０００７】
本発明によれば、冷却効果を高めることができる。
【図面の簡単な説明】
【０００８】
【図１】第１の実施形態に係る衣服の正面図である。
【図２】衣服の背面図である。
【図３】衣服の側面図である。
【図４】衣服の前身頃を開いた状態を示す正面図である。
【図５】送風装置を取り付けた状態を示す背面図である。
【図６】送風装置を取り付けた状態を示す側面図である。
【図７】送風装置を取り付けた状態から衣服を着用した状態を示す背面図である。
【図８】送風装置を取り付けた状態から衣服を着用した状態を示す側面図である。
【図９】送風装置の送風部に衣服の通気部を装着した状態を示す斜視図である。
【図１０】第２の実施形態に係る衣服の正面図である。
【図１１】第３の実施形態に係る衣服の正面図である。
【図１２】衣服の背面図である。
【図１３】衣服の肩部の裏側の構成を示す図である。
【発明を実施するための形態】
【０００９】
以下、本発明に係る実施形態の衣服および冷却システムについて図面を参照して説明する。本実施形態の冷却システムは、後述する衣服１０，１１，１２と、後述する送風装置５０とから構成される。
（第１の実施形態）
まず、第１の実施形態に係る衣服１０について図１〜図４を参照して説明する。
図１は、本実施形態に係る衣服１０の正面図である。図２は、衣服１０の背面図である。図３は、衣服１０の側面図である。図４は、衣服１０の前身頃を開いた状態を示す正面図である。
【００１０】
本実施形態の衣服１０は、衣服本体２０と、通気部４０とを有する。
衣服本体２０は着用者の胴体、胸および腕等を覆う。衣服本体２０は、衣服本体２０と着用者との間に空気が流入できるように、ある程度の余裕がある大きさ（サイズ）であることが好ましい。また、衣服本体２０は、衣服本体２０と着用者との間に流入した空気が、衣服本体２０の生地を通して流出しないように、空気を通し難い素材であることが好ましい。具体的には、衣服本体２０の生地として、例えばポリエステルやナイロン等のタフタ生地を用いることができる。
【００１１】
衣服本体２０は主に、胴体および胸を覆う胴部２１、腕を覆う腕部３０、首元を覆う衿部３３を有する。
胴部２１は、右側前身頃２２ａ、左側前身頃２２ｂ、後身頃２３を有する。右側前身頃２２ａおよび左側前身頃２２ｂは、互いの端部がファスナー部２４によって衣服本体２０の上下に亘って結合される。ファスナー部２４は、スライダーを一方方向にスライド操作することで右側前身頃２２ａおよび左側前身頃２２ｂが結合され、他方方向にスライド操作することで結合が解除される。なお、左側前身頃２２ｂには、正面からファスナー部２４が見えないように前立て部２６が上下に亘って取り付けられている。
【００１２】
また、胴部２１は生地の一部が開口した開口部２７を有する。具体的には、右側前身頃２２ａおよび左側前身頃２２ｂにはそれぞれ一つずつ開口部２７ａ，２７ｂを有し、後身頃２３には３つの開口部２７ｃ〜２７ｅを有する。開口部２７ａ〜２７ｅは、それぞれ衣服本体２０の左右方向に長く開口し、左右方向の開口寸法が略同一である。図１および図２に示すように、開口部２７ａ〜２７ｅは、それぞれ胴部２１の裾部２９の下端から略同じ高さであって、衣服本体２０の着丈Ｌの中央位置Ｃよりも裾部２９側（低い側）に位置している。
また、開口部２７ａは右側前身頃２２ａの左右方向の中央に位置し、開口部２７ｂは左側前身頃２２ｂの左右方向の中央に位置している。また、開口部２７ｃは後身頃２３の左右方向の中央に位置し、開口部２７ｄ，２７ｅは開口部２７ｃを挟んで後身頃２３の左右に位置している。したがって、着用者が衣服１０を着用したときに、開口部２７ａ〜２７ｅは着用者を囲むように位置している。
【００１３】
また、胴部２１はフラシ部２８を有する。具体的には、右側前身頃２２ａ、左側前身頃２２ｂおよび後身頃２３にはそれぞれ一つずつフラシ部２８ａ〜２８ｃを有する。フラシ部２８ａ〜２８ｃは、それぞれ衣服本体２０の左右方向に長い帯状であって、上端が長手方向に沿って胴部２１に縫い合わせること等で結合され、下端が結合されておらずフリーである。したがって、フラシ部２８ａ〜２８ｃはそれぞれ下端を捲りあげることができる。また、フラシ部２８ａ，２８ｂ，２８ｃは、それぞれ開口部２７ａ，２７ｂ，２７ｃ〜２７ｅを覆うように位置している。したがって、フラシ部２８ａ，２８ｂ，２８ｃを捲りあげることでそれぞれ開口部２７ａ，２７ｂ、２７ｃ〜２７ｅが露出される。
【００１４】
また、胴部２１は、裾部２９を有する。裾部２９は、裾周りに沿ってゴムや紐等のアジャスト機構が内蔵され伸縮可能であって、ゴムの弾性力や紐の締め付けによって胴部２１の胴周りに比べて縮径している。したがって、着用者が衣服１０を着用したときに胴部２１の裾部２９を着用者の胴体と密着させることができ、衣服本体２０と着用者との間に流入した空気が大量に裾部２９を通して流出することを防止できる。なお、裾部２９は裾周りに沿って紐を内蔵し、着用者が紐を引っ張ることで裾周りを縮径させてもよい。
【００１５】
腕部３０は、胴部２１にそれぞれ結合された左右一対の長袖である。腕部３０は、袖口３１を有する。袖口３１は、面ファスナー３２が設けられ、全周あるいは一部にゴムが内蔵され伸縮可能であって、ゴムの弾性力によって縮径している。したがって、着用者が衣服１０を着用したときに袖口３１を着用者の手首と密着させることができ、衣服本体２０と着用者との間に流入した空気が大量に袖口３１を通して外部に流出することを防止できる。また、面ファスナー３２を止着することで、更に袖口３１を着用者の手首と密着させることができる。
【００１６】
衿部３３は、胴部２１の上端部に結合される。衿部３３は衿部３３周りに沿ってゴム、紐、リブ等が内蔵され伸縮可能であって、ゴムやリブの弾性力や紐の締め付けによって縮径している。したがって、着用者が衣服１０を着用したときに衿部３３を着用者の首と密着させることができ、衣服本体２０と着用者との間に流入した空気が大量に衿部３３を通して流出することを防止できる。
なお、本実施形態の衿部３３は、胴部２１に対して着脱自在である。具体的には、胴部２１の上端部と衿部３３とがホック等の着脱部材を介して着脱される。
【００１７】
通気部４０は、後述する送風装置５０からの空気を衣服本体２０の内側に取り込むための通路の役割を有する。通気部４０は、胴部２１の開口部２７に接続されている。
本実施形態では、開口部２７ａ〜２７ｅごとに一つずつ通気部４０ａ〜４０ｅが接続されている。したがって、着用者が衣服１０を着用したときに、開口部２７ａ〜２７ｅと同様に、通気部４０ａ〜４０ｅも着用者を囲むように位置している。なお、図１〜図３では、後身頃２３の開口部２７ｃに接続されている通気部４０ｃのみが露出され、他の通気部４０ａ、４０ｂ、４０ｄ、４０ｅは衣服本体２０の内側に収容されている。以下では、通気部４０ｃについて説明するが、通気部４０ａ、４０ｂ、４０ｄ、４０ｅも通気部４０ｃと同様の構成である。
【００１８】
通気部４０ｃは、内部を流通する空気が、通気部４０の生地を通して流出しないように、空気を通し難く且つ可撓性（変形可能）のある素材であることが好ましい。具体的には、通気部４０ｃの生地として、例えばポリエステルやナイロン等のタフタ生地を用いることができる。
通気部４０ｃは、通気部本体４１、接続口４２、通気口４３を有する。
通気部本体４１は筒状であって、内部に空気を流通させることができる。接続口４２は通気部本体４１の長手方向の一方側の端部（上端）に形成された孔であり、開口部２７ｃに隙間なく例えば縫い合わせる等して接続される。したがって、衣服本体２０の内側の空間と、通気部４０ｃとは開口部２７ｃを介して連通される。
【００１９】
通気口４３は通気部本体４１の長手方向の他方側の端部（下端）に形成された孔である。通気口４３は、全周あるいは一部にゴムが内蔵されることで伸縮可能であって、ゴムの弾性力によって縮径している。本実施形態の通気口４３は、後述する送風部５１のノズル部５４の外周に着脱可能である。着用者は弾性力に抗して通気口４３を拡径させながら、送風部５１のノズル部５４の外周を通気口４３で被せるように覆うことでノズル部５４に装着することができる。このとき、通気口４３の弾性力によって通気口４３をノズル部５４の外周と密着させることができ、空気が大量に通気口４３とノズル部５４の外周との間を通して流出することを防止できる。また、通気口４３には面ファスナー４４が設けられている。したがって、面ファスナー４４を止着することで、更に通気口４３をノズル部５４と密着させることができる。また、通気口４３のうちノズル部５４の外周と接する内周面には、内周面に沿ってノズル部５４との間の滑りを防止する例えばゴム等の滑り防止部材が張り付けられ、通気口４３とノズル部５４の外周との間を通して空気が流出することを更に防止できる。
【００２０】
図２および図３に示すように、通気部４０ｃが衣服本体２０の外側に露出された状態では、自重により垂れ下がり、通気口４３がフラシ部２８ｃの下端よりも下側、裾部２９よりも上側に位置する。
また、通気部４０ｃは、衣服本体２０の内側に収容可能である。すなわち、開口部２７ｃを通して通気部４０ｃ全体を衣服本体２０の外側から内側に移動させることができる。
図４は、右側前身頃２２ａおよび左側前身頃２２ｂを左右に開いた状態を示す正面図であり、右側前身頃２２ａ、左側前身頃２２ｂおよび後身頃２３のそれぞれ裏面が示されている。
図４に示すように、右側前身頃２２ａ、左側前身頃２２ｂおよび後身頃２３の裏面には、衣服本体２０の内側に収容されて垂れ下がった通気部４０ａ〜４０ｅが振らつかないように保持する保持部４５ａ〜４５ｃを有する。保持部４５ａ〜４５ｃは、垂れ下がった通気部４０を覆うことができるような大きさの生地を、それぞれ右側前身頃２２ａ、左側前身頃２２ｂおよび後身頃２３の裏面に隙間を空けて重なり合うように結合することで構成される。具体的には、保持部４５ａ〜４５ｃは、それぞれ略矩形状の生地の上辺を除く３辺を胴部２１に例えば縫い合わせる等して結合させることで、上方が開放されたポケット状に形成される。なお、図４では、保持部４５ｃの一部を省略して図示しているために、通気部４０ｄを実線で示している。
【００２１】
保持部４５ａは開口部２７ａに接続された通気部４０ａを保持し、保持部４５ｂは開口部２７ｂに接続された通気部４０ｂを保持する。また、保持部４５ｃは、開口部２７ｃ〜２７ｅに接続された通気部４０ｃ〜４０ｅをそれぞれ保持する。なお、図４では、開口部２７ｃに接続された通気部４０ｃは、衣服本体２０の外側に露出して位置していることから示されていない。着用者は複数の通気部４０ａ〜４０ｅのうち、任意の通気部４０を衣服本体２０の内側に収容したり、衣服本体２０の外側に露出させたりすることができる。また、開口部２７ａ〜２７ｅを通して通気部４０ａ〜４０ｅを衣服本体２０の内側に収容させた状態では、衣服本体２０の内側に垂れ下がる通気部４０ａ〜４０ｅを保持部４５ａ〜４５ｃが振らつかないように保持する。また、開口部２７ａ〜２７ｅを通して通気部４０ａ〜４０ｅを衣服本体２０の内側に収容させた状態では、衣服本体２０の外側から見ると開口部２７ａ〜２７ｅが露出されてしまうが、フラシ部２８ａ〜２８ｃが開口部２７ａ〜２７ｅを覆うように位置している。したがって、衣服本体２０と着用者との間に流入した空気が大量に開口部２７ａ〜２７ｅを通して外部に流出することを防止できる。
【００２２】
次に、送風装置５０について図５および図６を参照して説明する。
図５は、着用者が送風装置５０を取り付けた状態を示す背面図である。図６は、着用者が送風装置５０を取り付けた状態を示す側面図である。
本実施形態の送風装置５０は、送風部５１と、バッテリ５６、ベルトホルダ５７等を備えている。送風部５１は、筐体５２内でモータによって回転するファン５３、ノズル部５４を有している。送風部５１は、ファン５３が回転することで一方向から吸気され、他方向に向かって排気する。ノズル部５４は、筐体５２の上端に着脱可能に装着される。ノズル部５４は、筒状であって、送風部５１からの空気を所望する方向に向かって送風させる機能を有する。ノズル部５４は、可撓性がある材質であって、例えばシリコーンを用いることができる。ノズル部５４の先端には、排出口５５を有する。本実施形態の排出口５５は、送風部５１の排気方向を延長させた延長線上に位置している。バッテリ５６は、送風部５１にモータを駆動するための電力を供給する。バッテリ５６には、例えばリチウムイオン充電池を用いることができる。ベルトホルダ５７は、送風部５１を後述するベルト６１の任意の位置に保持させることができる。なお、送風装置５０には、その他にファン５３の回転／停止および回転速度を制御するコントローラ等を備えていてもよい。
【００２３】
図５および図６に示すように、送風部５１はベルトホルダ５７を介してベルト６１に取り付けられ、バッテリ５６もクリップ等を介してベルト６１に取り付けられる。着用者は、送風部５１が取り付けられたベルト６１を腰に巻き付けることで、送風部５１を身に付けることができる。本実施形態のベルト６１は、安全帯６０を構成する部材であって、着用者の腰周りに巻き付けられる。ここでは、送風部５１は着用者の背面であって、ノズル部５４の長手方向が背中の中心（背骨）に沿って配置されている。また、ノズル部５４の排出口５５は、ベルト６１の上端よりも上側に位置する。したがって、この状態から送風装置５０の送風部５１を駆動させることで、矢印で示すように、ノズル部５４からの空気は着用者の後頭部付近に向かって下から上に送風される。
ただし、ベルト６１に対するベルトホルダ５７の取り付け位置を変えることで、送風部５１はベルト６１の任意の位置に配置することができる。安全帯６０のベルト６１には、命綱として機能するランヤードが結合されたり、着用者によってはランヤード以外にも作業に必要な工具を収容する工具袋等を一つあるいは複数取り付けたりすることがある。この場合、作業効率が低下しないように、着用者はランヤードや工具袋等を作業しやすい位置に取り付ける。したがって、送風部５１は、ランヤードや工具袋等が配置されていない位置であって、例えばベルト６１のうち背中の中心から左右に離れた位置や、背中ではなく腹側等に配置することができる。
【００２４】
次に、送風装置５０を取り付けた状態で衣服１０を着用する場合について図７〜図９を参照して説明する。
図７は、送風装置５０を取り付けた上で衣服１０を着用した状態を示す背面図である。図８は、送風装置５０を取り付けた上で衣服１０を着用した状態を示す側面図である。図９は、送風部５１に通気部４０の通気口４３を装着した状態を示す斜視図である。
着用者はベルト６１を介して送風装置５０を取り付けた状態から衣服１０を着用する。このとき、着用者は、袖口３１と手首との隙間が僅かになるように、袖口３１の面ファスナー３２を止着する。
また、図７および図８に示すように、着用者は衣服本体２０の胴部２１がノズル部５４を外側から覆わないように、胴部２１を着用者の胴体とノズル部５４との間に位置させるように着用する。このように、胴部２１がノズル部５４を覆わないことで、裾部２９がノズル部５４と重なり合うことが防止される。したがって、裾部２９ではノズル部５４の両側に大きな隙間が生じてしまうことがなく、胴部２１の裾部２９を着用者の胴体と密着させることができる。
【００２５】
次に、着用者は、通気部４０ｃの通気口４３を、送風部５１に装着する。具体的には、着用者は、通気部４０ｃの通気口４３でノズル部５４の排出口５５を外側から覆うことで、通気口４３をノズル部５４に装着する。このとき、着用者は、通気口４３とノズル部５４の外周との隙間がなくなるように、通気口４３の面ファスナー４４を止着する。このように、通気口４３をノズル部５４に装着することで、排出口５５から衣服本体２０の内側の空間までが通気部４０ｃを介して連通する。
【００２６】
次に、図７〜図９に示すように、着用者が衣服１０を着用した状態で送風装置５０を駆動させたときの作用、すなわち冷却システムの作用について説明する。
着用者はコントローラ等を操作して送風部５１を駆動させることで、送風部５１のファン５３が回転する。ファン５３が回転することで、送風部５１は筐体５２の下から吸気し、ノズル部５４の排出口５５から排気する。図９に示すように、排出口５５から排気された空気は、通気部４０ｃの通気部本体４１内および開口部２７ｃを通って、衣服本体２０の内側の空間に送風される。
【００２７】
このとき、排出口５５から衣服本体２０の内側の空間までの間で、空気が外部に流出するような隙間が形成されていないために、ノズル部５４の排出口５５から排気された空気の略全てが衣服本体２０の内側の空間に到達する。また、衣服本体２０の裾部２９、袖口３１および衿部３３では、着用者と密着していることから、衣服本体２０の内側の空間に到達した空気は直ちに流出されることを防止できる。したがって、図９に示すように、衣服本体２０の内側の空間内に空気が留まり、衣服本体２０全体が外側に向かって膨出する。衣服本体２０に留まりきれないほど膨出することで、衣服本体２０内の空気は主に袖口３１および衿部３３の僅かな隙間を通って衣服本体２０の外側に流出するために、衣服本体２０内で空気の対流が発生する。このとき、着用者の汗を気化させることで、着用者を冷却させることができる。
【００２８】
なお、上述では送風部５１を背中の中心に配置した場合について説明したが、送風部５１はベルト６１を介して背中の中心以外に配置することができる。例えば、送風部５１を背中の中心から離れて右あるいは左に配置した場合には、通気部４０ｄまたは通気部４０ｅを開口部２７ｄあるいは開口部２７ｅから外側に露出させ、通気口４３をノズル部５４に装着する。同様に、送風部５１を腹側の右あるいは左に配置した場合には、通気部４０ａまたは通気部４０ｂを開口部２７ａまたは開口部２７ｂから外側に露出させ、通気口４３をノズル部５４に装着する。
【００２９】
このように、衣服１０は複数の通気部４０ａ〜４０ｅを有することから、送風部５１を任意の位置に配置した場合であっても、送風部５１を最も近接した通気部４０の通気口４３に装着することができる。なお、送風部５１が装着されていない残りの通気部４０は、衣服本体２０の内側に収容することで衣服１０の美観を向上させることができる。また、衣服本体２０の内側に収容された通気部４０の接続口４２に接続される開口部２７は、フラシ部２８が開口部２７を覆うように位置することから、衣服本体２０と着用者との間に流入した空気が開口部２７を通して外部に流出することを防止できる。更に、衣服本体２０の内側に収容された通気部４０は保持部４５が振らつかないように保持することから、着用者が作業する上で通気部４０が邪魔になることを防止できる。
【００３０】
このように、本実施形態によれば、通気部４０は送風装置５０の送風部５１に着脱可能な通気口４３を有することから、通気口４３を送風部５１に装着することで送風部５１からの空気を外部に流出させることなく衣服本体２０に流入させることができるので、冷却効率を高めることができる。また、通気口４３を送風部５１に装着することで、着用者が作業のために動いた場合であっても、通気口４３が送風部５１から容易に離脱してしまうことを防止できる。
また、本実施形態によれば、開口部２７が衣服本体２０の着丈Ｌの中央位置Ｃよりも裾部２９側に位置している。同様に、通気部４０も衣服本体２０の着丈Ｌの中央位置Ｃよりも裾部２９側に位置している。この位置は、着用者が背中をかがめたり伸ばしたりして姿勢を変化させた場合であっても位置の変化が少ない。したがって、通気口４３が送風部５１から容易に離脱してしまうことを防止できる。
【００３１】
（第２の実施形態）
次に、第２の実施形態に係る衣服１１について図１０を参照して説明する。
図１０は、本実施形態に係る衣服１１の正面図である。
本実施形態の衣服１１は、第１の実施形態の衣服１０の衿部３３を離脱させて、フード７０を装着したものである。なお、第１の実施形態と同様の構成は、同一符号を付して、その説明を省略する。
【００３２】
フード７０は、着用者の顔を除く頭部を覆う。フード７０は、胴部２１に対して着脱自在である。具体的には、胴部２１の上端部とフード７０とがホック等の着脱部材を介して着脱される。着用者がフード７０を被ることで、送風部５１から送風された空気は、フード７０と着用者の頭部との間にも流入する。したがって、フード７０は、フード７０と着用者の頭部との間に流入した空気が、フード７０の生地を通して流出しないように、空気を通し難い素材であることが好ましい。
【００３３】
また、フード７０は、着用者の顔を露出させるための露出口７１を有する。露出口７１は、露出口７１に沿ってゴムが内蔵されて伸縮可能である。したがって、着用者がフード７０を被ったときに露出口７１を着用者の頭部と密着させることができることから、フード７０内に流入した空気が大量に露出口７１を通して流出することを防止できる。なお、露出口７１には露出口７１周りに沿って紐を内蔵し、着用者が紐を引っ張ることで露出口７１を縮径させてもよい。
このように、フード７０を装着することで、送風部５１から送風された空気はフード７０と着用者の頭部との間にも流入する。この後、フード７０内の空気は露出口７１の僅かな隙間を通ってフード７０外側に流出するために、フード７０内で空気の対流が発生する。このとき、着用者の頭部の汗を気化させることで、着用者の頭部も冷却させることができる。
【００３４】
（第３の実施形態）
次に、第３の実施形態に係る衣服１２について図１１〜図１３を参照して説明する。
図１１は、本実施形態に係る衣服１２の正面図である。図１２は、衣服１２の背面図である。
本実施形態の衣服１２は、第１の実施形態の衣服１０のうち腕部３０を省いたベスト型である。なお、第１の実施形態と同様の構成は、同一符号を付して、その説明を省略する。
【００３５】
衣服本体２０は主に、胴体および胸を覆う胴部８１、首元を覆う衿部３３を有する。
胴部８１は、着用者の腕を通す袖ぐり（アームホール）としての袖口部８２を有する。袖口部８２は、全周にゴムが内蔵され、伸縮可能であって、ゴムの弾性力によって縮径している。したがって、着用者が衣服１２を着用したときに袖口部８２を着用者の腕と密着させることができ、衣服本体２０と着用者との間に流入した空気が大量に袖口部８２を通して外部に流出することを防止できる。また、胴部８１は、袖口部８２の周囲には開口が袖口部８２よりも広い大径袖口部８３を有する。袖口部８２と大径袖口部８３は一部が重なって構成されており、胴部８１の美感を向上させている。
【００３６】
胴部８１の両肩の裏面には、通気性部材としてのダブルラッセルメッシュ８４が縫い合わされている。
図１３は、胴部８１の左肩の裏面を示す図である。図１３に示すようにダブルラッセルメッシュ８４は、第１のラッセルメッシュ８５ａと第２のラッセルメッシュ８５ｂとが貼り合わされた２重の生地であって、通気性に優れている。ダブルラッセルメッシュ８４は、右肩には右側前身頃２２ａと後身頃２３とに跨るように配置され、左肩には左側前身頃２２ｂと後身頃２３とに跨るように配置される。したがって、着用者が衣服１２を着用した状態で送風装置５０を駆動させて衣服本体２０の内側の空間に送風させたときに、空気が通気性に優れたダブルラッセルメッシュ８４内を通って前身頃と後身頃２３とを行き来でき、衣服本体２０の内側の空間内に満遍なく空気を行き渡らせることができる。
【００３７】
このように、腕部を省略したベスト型の衣服１２とすることで、衣服本体２０の内側の空間内に空気が留まった場合でも腕部が膨出することがなく、着用者は手元の作業を容易に行うことができる。なお、通気性部材はダブルラッセルメッシュ８４である場合に限られず、通気性に優れた部材であればどのような部材であってもよい。
【００３８】
以上、本発明を上述した実施形態により説明したが、本発明は上述した実施形態にのみ限定されるものではなく、本発明の範囲内で変更等が可能である。
上述した実施形態の衣服１０，１１，１２には着用者との密着を防止するために適宜、裏面にメッシュを配置してもよい。
上述した実施形態では、衣服本体２０が５つの通気部４０ａ〜４０ｅを有する場合について説明したが、この場合に限られず、１つ、２つ〜４つまたは６つ以上の通気部４０を有していてもよい。
上述した実施形態では、送風装置５０はダクト部５４を有する場合について説明したが、ダクト部５４を省略してもよい。この場合には、通気部４０の通気口４３を直接、送風部５１に装着することができる。
【００３９】
上述した実施形態では、ベルト６１が安全帯６０を構成する場合について説明したが、この場合に限られず、着用者が着用するパンツに用いるベルトであってもよい。
また、上述した実施形態では、安全帯６０として、いわゆる胴ベルト型を用いる場合について説明したが、この場合に限られず、いわゆるハーネス型を用いてもよい。ハーネス型の安全帯を用いる場合にも着用者の腰に巻き付けられたベルト６１に送風部５１を取り付けることができる。
【符号の説明】
【００４０】
１０，１１，１２：衣服  ２０：衣服本体  ４０（４０ａ〜４０ｄ）：通気部  ４３：通気部  ２７（２７ａ〜２７ｄ）：開口部  ２８（２８ａ〜２８ｃ）：フラシ部  ５０：送風装置  ５１：送風部
【図１】
2018003227.tif 000003
【図２】
2018003227.tif 000004
【図３】
2018003227.tif 000005
【図４】
2018003227.tif 000006
【図５】
2018003227.tif 000007
【図６】
2018003227.tif 000008
【図７】
2018003227.tif 000009
【図８】
2018003227.tif 000010
【図９】
2018003227.tif 000011
【図１０】
2018003227.tif 000012
【図１１】
2018003227.tif 000013
【図１２】
2018003227.tif 000014
【図１３】
2018003227.tif 000015